(57)【特許請求の範囲】
【請求項１】
足裏を支持する足支持部と、前記足裏に温感を付与する電熱線とを備えるオットマンにおいて、
前記電熱線のうちのＵ字形状の部分を往復部分として、
前記往復部分において前記足支持部の奥行方向の長さが前記足支持部の幅方向の長さよりも大きいこと、
前記電熱線を覆うカバーが前記足支持部に設けられていること、
前記カバーが織物により構成されていること、
前記電熱線が前記カバーに接触すること、
互いに独立した第１織物および第２織物が重ね合わせられて前記カバーが構成されていること、
前記第１織物の裏面が前記電熱線に接触されるように設けられていること、
前記第２織物が前記第１織物の表面において前記足裏に対応する部分に重ね合わせられていること、
ならびに、前記第１織物に対する前記第２織物の取り付けおよび前記第１織物からの前記第２織物の取り外しが可能であること
を特徴とするオットマン。
【請求項２】
請求項１に記載のオットマンにおいて、
前記織物に金属粉が織り込まれていること
を特徴とするオットマン。
【請求項３】
請求項２に記載のオットマンにおいて、
前記金属粉として銀が用いられていること
を特徴とするオットマン。
【請求項４】
請求項１〜３のいずれか一項に記載のオットマンにおいて、
前記足支持部の本体において前記足裏の足指の付け根に対応する部分から前記足裏の中間部分に対応する部分までの領域を足前方領域として、この足前方領域に前記電熱線が設けられていること、
ならびに、前記足前方領域に設けられている前記電熱線の一部に前記往復部分が形成されていること
を特徴とするオットマン。
【請求項５】
請求項１〜４のいずれか一項に記載のオットマンにおいて、
前記足支持部の本体において前記足裏の中間部分に対応する部分から前記足裏の踵に対応する部分までの領域を足後方領域として、この足後方領域に前記電熱線が設けられていること、
ならびに、前記足後方領域に設けられている前記電熱線の一部に前記往復部分が形成されていること
を特徴とするオットマン。
【請求項６】
請求項４または５に記載のオットマンにおいて、
前記足支持部の本体において前記足裏の中間部分に対応する部分から前記足裏の踵に対応する部分までの領域を足後方領域とし、前記足前方領域に設けられた前記電熱線の一部分を部分Ａとし、前記足後方領域に設けられた前記電熱線の別の一部分を部分Ｂとして、前記足裏に対向する前記部分Ａの表面積が前記足裏に対向する前記部分Ｂの表面積よりも大きいこと
を特徴とするオットマン。
【請求項７】
請求項４または５に記載のオットマンにおいて、
前記足支持部の本体において前記足裏の中間部分に対応する部分から前記足裏の踵に対応する部分までの領域を足後方領域とし、前記足前方領域に設けられた前記電熱線を第１電熱線とし、前記足後方領域に設けられた前記電熱線を第２電熱線として、
前記第１電熱線の発熱量および前記第２電熱線の発熱量を互いに独立して制御することができること、
ならびに、前記第１電熱線の発熱量が前記第２電熱線の発熱量よりも高くなるように前記電熱線を制御するモードが設けられていること
を特徴とするオットマン。
【請求項８】
請求項１〜７のいずれか一項に記載のオットマンにおいて、
前記足裏を施術する施術突起が設けられていること
を特徴とするオットマン。
【請求項９】
請求項１〜８のいずれか一項に記載のオットマンを備える椅子型マッサージ機。
【発明の詳細な説明】
【技術分野】
【０００１】
本発明は、足裏を支持する足支持部と、足裏に温感を付与する電熱線とを備えるオットマンおよび椅子型マッサージ機に関する。
【背景技術】
【０００２】
上記椅子型マッサージ機として、特許文献１に記載のものが知られている。
この椅子型マッサージ機には、臀部および脚を支持するマット内に電熱線が設けられている。ここで、同電熱線について、マットの幅方向に沿う部分を対向部分とし、マットの奥行方向において隣り合う対向部分の一方および他方をそれぞれ対向部分Ｘ１および対向部分Ｘ２とする。また、同電熱線のうちの対向部分Ｘ１と対向部分Ｘ２とを互いに接続する部分を接続部分とし、対向部分Ｘ１と対向部分Ｘ２と接続部分とにより構成される部分を往復部分とする。
【０００３】
上記椅子型マッサージ機においては、複数の往復部分が形成されるように、すなわち複数のＵ字形状の部分が形成されるように電熱線が配線されている。
【先行技術文献】
【特許文献】
【０００４】
【特許文献１】特開２０００−３５０７５９号公報
【発明の概要】
【発明が解決しようとする課題】
【０００５】
特許文献１の椅子型マッサージ機においては、対向部分を含めて電熱線が配線されているため、使用者の動作にともない電熱線の位置が規定の位置からずれるおそれがある。
例えば、使用者が当該椅子型マッサージ機を使用するために臀部を座部に載せるとき、座部の表面を擦るように臀部が動かされる。このとき、臀部の動きにともない対向部分が臀部に引きずられることに起因して、電熱線の接続部分が規定の位置とは異なる位置に移動することがある。このため、同一の使用者が椅子型マッサージ機を使用する毎に臀部に対する電熱線の位置が異なることに起因して、使用者が温感付与の機能について違和感を覚えるおそれがある。
【０００６】
なお、上述した電熱線の位置ずれの問題は、特許文献１の椅子型マッサージ機に限らず、電熱線を有する椅子型マッサージ機およびオットマンであれば同様に生じるものと考えられる。
【０００７】
本発明は上記課題を解決するためになされたものであり、その目的は、使用者の動作にともなう電熱線の位置ずれが生じにくい構造のオットマン、および椅子型マッサージ機を提供することにある。
【課題を解決するための手段】
【０００８】
上記目的を達成するための手段を以下に記載する。
・本発明のオットマンは、足裏を支持する足支持部と、前記足裏に温感を付与する電熱線とを備え、前記電熱線のうちのＵ字形状の部分を往復部分として、前記往復部分において前記足支持部の奥行方向の長さが前記足支持部の幅方向の長さよりも大きいこと、前記電熱線を覆うカバーが前記足支持部に設けられていること、前記カバーが織物により構成されていること、前記電熱線が前記カバーに接触すること、互いに独立した第１織物および第２織物が重ね合わせられて前記カバーが構成されていること、前記第１織物の裏面が前記電熱線に接触されるように設けられていること、前記第２織物が前記第１織物の表面において前記足裏に対応する部分に重ね合わせられていること、ならびに、前記第１織物に対する前記第２織物の取り付けおよび前記第１織物からの前記第２織物の取り外しが可能であることを特徴としている。
【００１１】
・このオットマンにおいては、前記織物に金属粉が織り込まれていることが好ましい。
・このオットマンにおいては、前記金属粉として銀が用いられていることが好ましい。
・このオットマンにおいては、前記足支持部の本体において前記足裏の足指の付け根に対応する部分から前記足裏の中間部分に対応する部分までの領域を足前方領域として、この足前方領域に前記電熱線が設けられていること、ならびに、前記足前方領域に設けられている前記電熱線の一部に前記往復部分が形成されていることが好ましい。
【００１２】
・このオットマンにおいては、前記足支持部の本体において前記足裏の中間部分に対応する部分から前記足裏の踵に対応する部分までの領域を足後方領域として、この足後方領域に前記電熱線が設けられていること、ならびに、前記足後方領域に設けられている前記電熱線の一部に前記往復部分が形成されていることが好ましい。
【００１３】
・このオットマンにおいては、前記足支持部の本体において前記足裏の中間部分に対応する部分から前記足裏の踵に対応する部分までの領域を足後方領域とし、前記足前方領域に設けられた前記電熱線の一部分を部分Ａとし、前記足後方領域に設けられた前記電熱線の別の一部分を部分Ｂとして、前記足裏に対向する前記部分Ａの表面積が前記足裏に対向する前記部分Ｂの表面積よりも大きいことが好ましい。
【００１４】
・このオットマンにおいては、前記足支持部の本体において前記足裏の中間部分に対応する部分から前記足裏の踵に対応する部分までの領域を足後方領域とし、前記足前方領域に設けられた前記電熱線を第１電熱線とし、前記足後方領域に設けられた前記電熱線を第２電熱線として、前記第１電熱線の発熱量および前記第２電熱線の発熱量を互いに独立して制御することができること、ならびに前記第１電熱線の発熱量が前記第２電熱線の発熱量よりも高くなるように前記電熱線を制御するモードが設けられていることが好ましい。
【００１５】
・このオットマンにおいては、前記足裏を施術する施術突起が設けられていることが好ましい。
・本発明の椅子型マッサージ機は、前記オットマンを備えることを特徴としている。
【発明の効果】
【００１９】
本発明によれば、使用者の動作にともなう電熱線の位置ずれが生じにくい構造のオットマン、および椅子型マッサージ機を提供することができる。
【図面の簡単な説明】
【００２０】
【図１】本発明の一実施形態のオットマンについて、同オットマンを備える椅子型マッサージ機の斜視構造を示す斜視図。
【図２】同実施形態のオットマンについて、オットマンの足支持部の斜視構造を示す斜視図。
【図３】同実施形態のオットマンについて、足支持部の断面構造を示す断面図。
【図４】同実施形態のオットマンについて、足支持部の平面構造を示す平面図。
【図５】同実施形態のオットマンについて、足支持部の平面構造を示す平面図。
【図６】同実施形態のオットマンについて、（ａ）は足裏支持部の平面構造を示す平面図、（ｂ）は電熱線の往復部分のモデルを示す模式図。
【図７】同実施形態の椅子型マッサージ機について、座部の平面構造を示す平面図。
【図８】同実施形態の椅子型マッサージ機について、背もたれの一部分の正面構造を示す正面図。
【図９】本発明のその他の実施形態のオットマンについて、足支持部の平面構造を示す平面図。
【図１０】本発明のその他の実施形態のオットマンについて、足支持部の平面構造を示す平面図。
【図１１】本発明のその他の実施形態のオットマンについて、足裏支持部の平面構造を示す平面図。
【図１２】本発明のその他の実施形態のオットマンについて、（ａ）は肘掛の斜視構造を示す側面図、（ｂ）は腕施術部を省略した状態の肘掛の平面構造を示す平面図。
【図１３】本発明のその他の実施形態のオットマンについて、足支持部の斜視構造を示す斜視図。
【発明を実施するための形態】
【００２１】
図１〜図８を参照して、本発明の一実施形態について説明する。
図１に示されるように、椅子型マッサージ機（以下、「マッサージ機１」）には、体幹を支持するチェア１０と、下肢を支持するオットマン２０とが設けられている。またこの他に、チェア１０およびオットマン２０の各装置を制御する制御装置と、使用者がチェア１０およびオットマン２０を操作するためのコントローラとが設けられている（いずれも図示略）。
【００２２】
チェア１０には、臀部を支持する座部１１と、背中を支持する背もたれ１２と、腕を支持する肘掛１３とが設けられている。座部１１には、臀部に温感を付与する電熱線８０が設けられている。背もたれ１２には、背中を施術する施術機構１４と、背中に温感を付与する電熱線９０とが設けられている。施術機構１４には、背中をもみほぐす施術子１５と、施術子１５を駆動させる駆動部１６とが設けられている。
【００２３】
オットマン２０には、脚を支持する脚支持部３０と、足を支持する足支持部４０とが設けられている。脚支持部３０と足支持部４０とは、脚支持部３０の接続部３３により互いに接続されている。
【００２４】
ここで、マッサージ機１について次の用語を定義する。
（Ａ）マッサージ機１の幅方向を「幅方向」とし、チェア１０の奥行方向を「座奥行方向」とし、背もたれ１２の長手方向を「背高さ方向」とする。
（Ｂ）幅方向において、チェア１０に着座した使用者から見て右の方向を「右方」とし、同使用者から見て左の方向を「左方」とする。
（Ｃ）座奥行方向において、使用者の背面側から正面側に向かう方向を「前方」とし、正面側から背面側に向かう方向を「後方」とする。
（Ｄ）背高さ方向において、座部１１から背もたれ１２に向かう方向を「上方」とし、背もたれ１２から座部１１に向かう方向を「下方」とする。
（Ｅ）足支持部４０の短手方向を「足奥行方向」とし、足奥行方向および幅方向に直交する方向を「足高さ方向」とする。
（Ｆ）足奥行方向において、踵から足指に向かう方向を「前方」とし、足指から踵に向かう方向を「後方」とする。
（Ｇ）足高さ方向において、足から下腿に向かう方向を「上方」とし、下腿から足に向かう方向を「下方」とする。
【００２５】
脚支持部３０には、脚の側面を支持する３つの脚側壁３１と、下腿を支持する脚背壁３２と、脚側壁３１と足支持部４０とを互いに接続する接続部３３とが設けられている。また、脚を施術するエアバッグとして、右下腿および左下腿をそれぞれ右方側および左方側から施術する側部エアバッグ３４と、右下腿および左下腿をそれぞれ後方側から施術する後部エアバッグ３５とが設けられている。
【００２６】
脚側壁３１としては、右脚の右方の側面を支持する脚側壁３１と、左脚の左方の側面を支持する脚側壁３１と、右脚の左方の側面および左脚の右方の側面を支持する脚側壁３１とが設けられている。
【００２７】
足支持部４０には、足裏を支持する部分の本体としての支持部本体４１と、右足裏を支持する足裏支持部５０と、左足裏を支持する足裏支持部５０と、各足裏に温感を付与する電熱線７０とが設けられている。また、足支持部４０の各要素を覆うカバーとして、支持部本体４１を覆う第１カバー４４と、第１カバー４４のうちの各足裏支持部５０に対応する部分を覆う２枚の第２カバー４５とが設けられている。
【００２８】
図２を参照して、足支持部４０の詳細な構成について説明する。
支持部本体４１には、各足裏支持部５０が載せられる足底壁４２と、右足の右方への移動を規制する足側壁４３と、左足の左方への移動を規制する足側壁４３とが設けられている。
【００２９】
足底壁４２の上面には、右足用および左足用の足裏支持部５０が設けられている。右足用の足裏支持部５０と左足用の足裏支持部５０とは、隙間を介して直接的に対向している。すなわち支持部本体４１において、右足用の足裏支持部５０と左足用の足裏支持部５０との間には、各足の幅方向への移動を規制する側壁が設けられていない。
【００３０】
第１カバー４４は、銀が織り込まれた織物により構成されている。第２カバー４５も同様に銀が織り込まれた織物により構成されている。なお、第１カバー４４は「第１織物」に相当する。また、第２カバー４５は「第２織物」に相当する。
【００３１】
第１カバー４４において、各足裏支持部５０の前方および後方の端部に対応する部分には、それぞれ第１面ファスナ４４Ａが設けられている。第２カバー４５の前方および後方の端部には、それぞれ第２面ファスナ４５Ａが設けられている。これにより、マッサージ機１の使用者は、第２カバー４５を第１カバー４４に取り付けること、および第２カバー４５を第１カバー４４から取り外すことができる。
【００３２】
図１を参照して、チェア１０およびオットマン２０の制御について説明する。
制御装置は、コントローラから送信された信号に基づいて、施術機構１４、側部エアバッグ３４、後部エアバッグ３５、施術突起５１、および電熱線７０を制御する。
【００３３】
マッサージ機１においては、コントローラの操作により選択することのできる複数の動作モードが予め用意されている。また、複数のモードのいずれか１つが行なわれている状態において、電熱線７０による足裏への温感の付与が行なわれる。なお、動作モードにともない行なわれる電熱線７０の制御とは別に、コントローラの操作により電熱線７０のオンおよびオフを選択することもできる。
【００３４】
動作モードの説明にあたり各用語を下記のとおり定義する。
・「施術実行」は、施術機構１４が動作している状態を示す。
・「施術停止」は、施術機構１４が停止している状態を示す。
・「脚部実行」は、各エアバッグ３４，３５が動作している状態を示す。
・「脚部停止」は、各エアバッグ３４，３５が停止している状態を示す。
・「突起実行」は、施術突起５１が動作している状態を示す。
・「突起停止」は、施術突起５１が停止している状態を示す。
・「足温感実行」は、電熱線７０が動作している状態を示す。
・「足温感停止」は、電熱線７０が停止している状態を示す。
・「座温感実行」は、電熱線８０が動作している状態を示す。
・「座温感停止」は、電熱線８０が停止している状態を示す。
・「背温感実行」は、電熱線９０が動作している状態を示す。
・「背温感停止」は、電熱線９０が停止している状態を示す。
【００３５】
動作モードしては以下のものが用意されている。
（モードＡＡ）施術実行、脚部停止、突起停止、背温感停止、座温感停止、足温感実行。
（モードＡＢ）施術実行、脚部停止、突起停止、背温感停止、座温感停止、足温感実行。
（モードＡＣ）施術実行、脚部実行、突起停止、背温感停止、座温感停止、足温感停止。
（モードＡＤ）施術実行、脚部実行、突起停止、背温感停止、座温感停止、足温感実行。
（モードＡＥ）施術実行、脚部実行、突起実行、背温感停止、座温感停止、足温感停止。
（モードＡＦ）施術実行、脚部実行、突起実行、背温感停止、座温感停止、足温感実行。
（モードＡＧ）施術実行、脚部実行、突起実行、背温感実行、座温感停止、足温感停止。
（モードＡＨ）施術実行、脚部実行、突起実行、背温感実行、座温感停止、足温感実行。
（モードＡＩ）施術実行、脚部実行、突起実行、背温感実行、座温感実行、足温感停止。
（モードＡＪ）施術実行、脚部実行、突起実行、背温感実行、座温感実行、足温感実行。
（モードＡＫ）施術実行、脚部停止、突起実行、背温感実行、座温感実行、足温感停止。
（モードＡＬ）施術実行、脚部停止、突起実行、背温感実行、座温感実行、足温感実行。
（モードＡＭ）施術実行、脚部停止、突起停止、背温感実行、座温感実行、足温感実行。
（モードＡＮ）施術実行、脚部停止、突起停止、背温感実行、座温感実行、足温感停止。
（モードＡＯ）施術実行、脚部停止、突起停止、背温感停止、座温感実行、足温感実行。
（モードＡＰ）施術実行、脚部停止、突起停止、背温感停止、座温感実行、足温感停止。
（モードＢＡ）施術停止、脚部実行、突起停止、背温感停止、座温感停止、足温感停止。
（モードＢＢ）施術停止、脚部実行、突起停止、背温感停止、座温感停止、足温感実行。
（モードＢＣ）施術停止、脚部実行、突起実行、背温感停止、座温感停止、足温感停止。
（モードＢＤ）施術停止、脚部実行、突起実行、背温感停止、座温感停止、足温感実行。
（モードＢＥ）施術停止、脚部実行、突起実行、背温感実行、座温感停止、足温感停止。
（モードＢＦ）施術停止、脚部実行、突起実行、背温感実行、座温感停止、足温感実行。
（モードＢＧ）施術停止、脚部実行、突起実行、背温感実行、座温感実行、足温感停止。
（モードＢＨ）施術停止、脚部実行、突起実行、背温感実行、座温感実行、足温感停止。
（モードＢＩ）施術停止、脚部実行、突起停止、背温感実行、座温感停止、足温感停止。
（モードＢＪ）施術停止、脚部実行、突起停止、背温感実行、座温感停止、足温感実行。
（モードＢＫ）施術停止、脚部実行、突起停止、背温感実行、座温感実行、足温感停止。
（モードＢＬ）施術停止、脚部実行、突起停止、背温感実行、座温感実行、足温感実行。
（モードＢＭ）施術停止、脚部実行、突起停止、背温感停止、座温感停止、足温感停止。
（モードＢＮ）施術停止、脚部実行、突起停止、背温感停止、座温感停止、足温感実行。
（モードＣＡ）施術停止、脚部停止、突起実行、背温感停止、座温感停止、足温感停止。
（モードＣＢ）施術停止、脚部停止、突起実行、背温感停止、座温感停止、足温感実行。
（モードＣＣ）施術停止、脚部停止、突起実行、背温感実行、座温感停止、足温感停止。
（モードＣＤ）施術停止、脚部停止、突起実行、背温感実行、座温感停止、足温感実行。
（モードＣＥ）施術停止、脚部停止、突起実行、背温感実行、座温感実行、足温感実行。
（モードＣＦ）施術停止、脚部停止、突起実行、背温感実行、座温感実行、足温感実行。
【００３６】
図３を参照して、足裏支持部５０の詳細な構成について説明する。なお、図３においては、第１カバー４４の第１面ファスナ４４Ａおよび第２カバー４５の第２面ファスナ４５Ａを省略している。
【００３７】
各足裏支持部５０には、足裏を施術する施術突起５１と、施術突起５１を高さ方向に移動させるエアバッグ５２と、施術突起５１の一部およびエアバッグ５２を収容する取付台６０とが設けられている。またこの他に、足裏に温感を付与する電熱線７０の一部と、電熱線７０を配線するためのシート５３とが設けられている。
【００３８】
シート５３には、電熱線７０の下方の半分が埋め込まれるとともに電熱線７０の上方の半分が露出するように電熱線７０が配線されている。電熱線７０としては、取付台６０に対応する部分の全体にわたり径の大きさが同一のものが用いられている。
【００３９】
取付台６０には、足裏を支持する平面部６５と、平面部６５の下面側の空間を取り囲む側壁部６６とが設けられている。側壁部６６は、平面部６５の下面の縁に接続されている。平面部６５において足奥行方向および幅方向の中間部分には、施術突起５１を挿入するための突起孔６７が形成されている。
【００４０】
取付台６０としては、樹脂材料により形成された剛体の高いものが用いられている。すなわち、外部から力が加えられたときに電熱線７０よりも変形しにくいものが用いられている。
【００４１】
取付台６０の内部、すなわち平面部６５と側壁部６６とにより囲まれた空間には、施術突起５１の下方の部分およびエアバッグ５２が収容されている。エアバッグ５２は、足底壁４２と施術突起５１との間に設けられている。
【００４２】
施術突起５１は、突起孔６７に対してすきま嵌めされている。施術突起５１の先端部は、エアバッグ５２が最も収縮した状態において突起孔６７を介して平面部６５から外部に突出している。
【００４３】
高さ方向においての足底壁４２に対する施術突起５１の位置、すなわち施術突起５１のうちの平面部６５から突出している部分の長さ（以下、「突出量」）は、エアバッグ５２の状態に応じて変更される。
【００４４】
第１カバー４４は、電熱線７０および施術突起５１を上方から覆うとともに電熱線７０に接触するように設けられている。すなわち、足が足裏支持部５０に載せられていない状態においては、第１カバー４４の裏面と電熱線７０との間に小さな隙間が形成される。一方、足が足裏支持部５０に載せられた状態においては、第１カバー４４の裏面と電熱線７０との少なくとも一部が互いに接触する。第１カバー４４と電熱線７０との接触面積は、施術突起５１の突出量に応じて変化する。
【００４５】
図４に示されるように、シート５３には、左方の取付台６０に対応した配線部５３Ａと、右方の取付台６０に対応した配線部５３Ａと、左方の配線部５３Ａと右方の配線部５３Ａとを互いに連結する連結部５３Ｂとが設けられている。
【００４６】
シート５３の配線部５３Ａは、足奥行方向において取付台６０の前方の端部（以下、「台前方端部６０Ｘ」）から取付台６０の後方の端部（以下、「台後方端部６０Ｙ」）までにわたり設けられている。また、幅方向において取付台６０の左方の端部から右方の端部までにわたり設けられている。
【００４７】
配線部５３Ａにおいて取付台６０の突起孔６７に対応する部分には、突起孔６７よりも径が大きい開口部５３Ｃが形成されている。施術突起５１、突起孔６７、および開口部５３Ｃはそれぞれ同心円上に設けられている。
【００４８】
図４および図５を参照して、電熱線７０の配線態様について説明する。
取付台６０は、足奥行方向において前方から後方に向けて５つの領域、すなわち第１領域６０Ａ、第２領域６０Ｂ、第３領域６０Ｃ、第４領域６０Ｄ、および第５領域６０Ｅに区分される。なお、第２領域６０Ｂは「足前方領域」に相当し、第５領域６０Ｅは「足後方領域」に相当する。
（ａ）第１領域６０Ａは、台前方端部６０Ｘから足指ＦＴの付け根に対応する部分までの領域を示す。
（ｂ）第２領域６０Ｂは、足指ＦＴの付け根に対応する部分から施術突起５１の前方の縁に対応する部分までの領域を示す。
（ｃ）第３領域６０Ｃは、施術突起５１の前方の縁から施術突起５１の後方の縁までの領域を示す。
（ｄ）第４領域６０Ｄは、施術突起５１の後方の縁から踵ＦＨの前端に対応する部分までの領域を示す。
（ｅ）第５領域６０Ｅは、踵ＦＨの前端に対応する部分から台後方端部６０Ｙまでの領域を示す。
【００４９】
電熱線７０は、第１領域６０Ａ〜第５領域６０Ｅにまたがり配線されている。電熱線７０の各部分は、各領域６０Ａ〜６０Ｅとの関係に基づいて５つの領域、すなわち第１部分７１、第２部分７２、第３部分７３、第４部分７４、および第５部分７５に区分される。
（ａ）第１部分７１は、第１領域６０Ａに対応する部分を示す。
（ｂ）第２部分７２は、第２領域６０Ｂに対応する部分を示す。
（ｃ）第３部分７３は、第３領域６０Ｃに対応する部分を示す。
（ｄ）第４部分７４は、第４領域６０Ｄに対応する部分を示す。
（ｅ）第５部分７５は、第５領域６０Ｅに対応する部分を示す。
【００５０】
足支持部４０においては、２つの足裏支持部５０に対して１本の電熱線７０が足Ｆの各部分に対応するように配線されている。また、１つの足裏支持部５０において施術突起５１を取り囲むように電熱線７０が配線されている。
【００５１】
電熱線７０と足Ｆとの関係について説明する。
（ａ）第１部分７１は、足指ＦＴに対応して配線されている。
（ｂ）第２部分７２は、土踏まずＦＡの前方の部分に対応して配線されている。
（ｃ）第３部分７３は、土踏まずＦＡの中間かつ外側の部分に対応して配線されている。
（ｄ）第４部分７４は、土踏まずＦＡの後方かつ外側の部分に対応して配線されている。
（ｅ）第５部分７５は、踵ＦＨに対応して配線されている。
【００５２】
電熱線７０の各部分の長さの関係について説明する。
第１領域６０Ａおよび第２領域６０Ｂにおいての単位面積あたりの電熱線７０の長さは、第４領域６０Ｄおよび第５領域６０Ｅにおいての単位面積あたりの電熱線７０の長さよりも大きい。すなわち、第１部分７１および第２部分７２の合計の長さは、第４部分７４および第５部分７５の合計の長さよりも大きい。なお、第２部分７２は「部分Ａ」に相当し、第５部分７５は「部分Ｂ」に相当する。
【００５３】
電熱線７０の各部分の表面積の関係について説明する。
第１領域６０Ａおよび第２領域６０Ｂにおいての単位面積あたりの電熱線７０の表面積は、第４領域６０Ｄおよび第５領域６０Ｅにおいての単位面積あたりの電熱線７０の表面積よりも大きい。すなわち、第１部分７１および第２部分７２の合計の表面積は、第４部分７４および第５部分７５の合計の表面積よりも大きい。なお、ここでの電熱線７０の表面積はシート５３から露出している電熱線７０の上方の部分の表面積を示す。
【００５４】
足支持部４０においては、上記のように電熱線７０が配線されていることにより、第１領域６０Ａおよび第２領域６０Ｂに配線された電熱線７０の一部の合計の発熱量が第４領域６０Ｄおよび第５領域６０Ｅに配線された電熱線７０の一部の合計の発熱量よりも大きくなる。
【００５５】
図６を参照して、取付台６０上の電熱線７０の配線態様の詳細について説明する。
図６（ａ）に示されるように、電熱線７０のうちの取付台６０上に配線された部分においては、Ｕ字形状の部分すなわち往復部分が形成されている。施術突起５１よりも前方の部分には、往復部分として、第１往復部分７０Ａ、第２往復部分７０Ｂ、第３往復部分７０Ｃ、第４往復部分７０Ｄ、第５往復部分７０Ｅ、および第６往復部分７０Ｆが形成されている。施術突起５１よりも後方の部分には、往復部分として、第７往復部分７０Ｇおよび第８往復部分７０Ｈが形成されている。
【００５６】
図６（ｂ）に往復部分のモデルＵを示す。
往復部分のモデルＵは、足奥行方向に沿う直線形状の部分を対向部分とし、幅方向において隣り合う対向部分の一方および他方をそれぞれ対向部分ＵＡおよび対向部分ＵＢとし、対向部分ＵＡと対向部分ＵＢとを互いに接続する部分を接続部分ＵＣとして、これら対向部分ＵＡ、対向部分ＵＢ、および接続部分ＵＣにより構成される。
【００５７】
各往復部分７０Ａ〜７０Ｈは、上記往復部分のモデルＵに準じた形状の部分としてそれぞれ電熱線７０に形成されている。また電熱線７０においては、各往復部分７０Ａ〜７０Ｈの一部分が以下のように互いに重複している。
【００５８】
すなわち、第１往復部分７０Ａの対向部分ＵＡと第２往復部分７０Ｂの対向部分ＵＡとが互いに重複している。また、第２往復部分７０Ｂの対向部分ＵＢと第３往復部分７０Ｃの対向部分ＵＢとが互いに重複している。また、第３往復部分７０Ｃの対向部分ＵＡと第４往復部分７０Ｄの対向部分ＵＡとが互いに重複している。また、第４往復部分７０Ｄの対向部分ＵＢと第５往復部分７０Ｅの対向部分ＵＢとが互いに重複している。また、第７往復部分７０Ｇの対向部分ＵＢと第８往復部分７０Ｈの対向部分ＵＢとが互いに重複している。
【００５９】
ここでは、往復部分のモデルＵおよび各往復部分７０Ａ〜７０Ｈとして、直線形状の対向部分ＵＡおよび対向部分ＵＢが互いに平行する形状のものを示しているが、以下の（条件Ａ）〜（条件Ｃ）の少なくとも１つを満たすものについても電熱線７０の往復部分に含まれるものとする。
（条件Ａ）対向部分ＵＡと対向部分ＵＢとが互いに平行していない。
（条件Ｂ）対向部分ＵＡおよび対向部分ＵＢの少なくとも一方が湾曲している。
（条件Ｃ）対向部分ＵＡおよび対向部分ＵＢの少なくとも一方が蛇行している。
【００６０】
各往復部分７０Ａ〜７０Ｈの寸法について説明する。
各往復部分の足奥行方向の長さを以下のように定義する。
（ａ）第１往復部分７０Ａの足奥行方向の長さを「長さＸ１１」とする。
（ｂ）第２往復部分７０Ｂの足奥行方向の長さを「長さＸ１２」とする。
（ｃ）第３往復部分７０Ｃの足奥行方向の長さを「長さＸ１３」とする。
（ｄ）第４往復部分７０Ｄの足奥行方向の長さを「長さＸ１４」とする。
（ｅ）第５往復部分７０Ｅの足奥行方向の長さを「長さＸ１５」とする。
（ｆ）第６往復部分７０Ｆの足奥行方向の長さを「長さＸ１６」とする。
（ｇ）第７往復部分７０Ｇの足奥行方向の長さを「長さＸ１７」とする。
（ｈ）第８往復部分７０Ｈの足奥行方向の長さを「長さＸ１８」とする。
【００６１】
各往復部分の幅方向の長さを以下のように定義する。
（ａ）第１往復部分７０Ａの幅方向の長さを「長さＹ１１」とする。
（ｂ）第２往復部分７０Ｂの幅方向の長さを「長さＹ１２」とする。
（ｃ）第３往復部分７０Ｃの幅方向の長さを「長さＹ１３」とする。
（ｄ）第４往復部分７０Ｄの幅方向の長さを「長さＹ１４」とする。
（ｅ）第５往復部分７０Ｅの幅方向の長さを「長さＹ１５」とする。
（ｆ）第６往復部分７０Ｆの幅方向の長さを「長さＹ１６」とする。
（ｇ）第７往復部分７０Ｇの幅方向の長さを「長さＹ１７」とする。
（ｈ）第８往復部分７０Ｈの幅方向の長さを「長さＹ１８」とする。
【００６２】
上記各長さの関係は以下のように設定されている。
（ａ）長さＸ１１は長さＹ１１よりも大きい（Ｘ１１＞Ｙ１１）。
（ｂ）長さＸ１２は長さＹ１２よりも大きい（Ｘ１２＞Ｙ１２）。
（ｃ）長さＸ１３は長さＹ１３よりも大きい（Ｘ１３＞Ｙ１３）。
（ｄ）長さＸ１４は長さＹ１４よりも大きい（Ｘ１４＞Ｙ１４）。
（ｅ）長さＸ１５は長さＹ１５よりも大きい（Ｘ１５＞Ｙ１５）。
（ｆ）長さＸ１６は長さＹ１６よりも大きい（Ｘ１６＞Ｙ１６）。
（ｇ）長さＸ１７は長さＹ１７よりも大きい（Ｘ１７＞Ｙ１７）。
（ｈ）長さＸ１８は長さＹ１８よりも大きい（Ｘ１８＞Ｙ１８）。
【００６３】
このように、電熱線７０においての取付台６０上に配線された部分には、足奥行方向の長さが幅方向の長さよりも大きくなるように複数のＵ字形状の部分（第１往復部分７０Ａ〜第８往復部分７０Ｈ）が形成されている。
【００６４】
図７を参照して、座部１１の電熱線８０の配線態様の詳細について説明する。
電熱線８０においては、複数の往復部分８１が形成されている。
各往復部分８１は、図６（ｂ）に示される往復部分のモデルＵに準じた形状の部分としてそれぞれ電熱線８０に形成されている。また電熱線８０においては、幅方向において互いに隣り合う一方の往復部分８１および他方の往復部分８１について、それぞれの対向部分が互いに重複している。
【００６５】
ここでは、往復部分のモデルＵおよび各往復部分８１として、直線形状の対向部分ＵＡおよび対向部分ＵＢが互いに平行する形状のものを示しているが、上記（条件Ａ）〜（条件Ｃ）の少なくとも１つを満たすものについても電熱線８０の往復部分に含まれるものとする。
【００６６】
電熱線８０においては、往復部分８１の座奥行方向の長さを「長さＸ２０」とし、往復部分８１の幅方向の長さを「長さＹ２０」としたとき、長さＸ２０が長さＹ２０よりも大きくなるように各往復部分８１が形成されている。
【００６７】
図８を参照して、背もたれ１２の電熱線９０の配線態様の詳細について説明する。
電熱線９０においては、複数の往復部分９１が形成されている。
各往復部分９１は、図６（ｂ）に示される往復部分のモデルＵに準じた形状の部分としてそれぞれ電熱線９０に形成されている。また電熱線９０においては、幅方向において互いに隣り合う一方の往復部分９１および他方の往復部分９１について、それぞれの対向部分が互いに重複している。
【００６８】
ここでは、往復部分のモデルＵおよび各往復部分９１として、直線形状の対向部分ＵＡおよび対向部分ＵＢが互いに平行する形状のものを示しているが、上記（条件Ａ）〜（条件Ｃ）の少なくとも１つを満たすものについても電熱線９０の往復部分に含まれるものとする。
【００６９】
電熱線９０においては、往復部分９１の背高さ方向の長さを「長さＸ３０」とし、往復部分９１の幅方向の長さを「長さＹ３０」としたとき、長さＸ３０が長さＹ３０よりも大きくなるように各往復部分９１が形成されている。
【００７０】
図１を参照して、マッサージ機１の作用について説明する。
使用者がマッサージ機１を使用するために足を足裏支持部５０に載せるとき、足裏支持部５０の表面を擦るように足が動かされる。このとき、足の動きにともない電熱線７０の往復部分の接続部分ＵＣ（図６（ｂ））が足に引きずられることに起因して、電熱線７０が規定の位置とは異なる位置に移動することがある。このため、同一の使用者がマッサージ機１を使用する毎に足裏に対する電熱線７０の位置が異なることに起因して、使用者が温感付与の機能について違和感を覚えるおそれがある。
【００７１】
また、使用者がマッサージ機１を使用するために臀部を座部１１に載せるとき、座部１１の表面を擦るように臀部が動かされる。このとき、臀部の動きにともない電熱線８０の往復部分の接続部分ＵＣ（図６（ｂ））が臀部に引きずられることに起因して、電熱線８０が規定の位置とは異なる位置に移動することがある。このため、同一の使用者がマッサージ機１を使用する毎に臀部に対する電熱線８０の位置が異なることに起因して、使用者が温感付与の機能について違和感を覚えるおそれがある。
【００７２】
また、使用者がマッサージ機１を使用するために背中を背もたれ１２にもたれかけさせるとき、背もたれ１２の表面を擦るように背中が動かされる。このとき、背中の動きにともない電熱線９０の往復部分の接続部分ＵＣ（図６（ｂ））が背中に引きずられることに起因して、電熱線９０が規定の位置とは異なる位置に移動することがある。このため、同一の使用者がマッサージ機１を使用する毎に背中に対する電熱線９０の位置が異なることに起因して、使用者が温感付与の機能について違和感を覚えるおそれがある。
【００７３】
一方、本実施形態のマッサージ機１のオットマン２０においては、電熱線７０の各往復部分７０Ａ〜７０Ｈの足奥行方向の長さが幅方向の長さよりも大きくなるように電熱線７０が配線されている。この構成によれば、各往復部分７０Ａ〜７０Ｈの接続部分ＵＣが足に引きずられにくくなるため、電熱線７０の位置が規定の位置からずれることが抑制される。
【００７４】
また、マッサージ機１の座部１１においては、電熱線８０の各往復部分８１の座奥行方向の長さが幅方向の長さよりも大きくなるように電熱線８０が配線されている。この構成によれば、各往復部分８１の接続部分ＵＣが臀部に引きずられにくくなるため、電熱線８０の位置が規定の位置からずれることが抑制される。
【００７５】
また、マッサージ機１の背もたれ１２においては、電熱線９０の各往復部分９１の背高さ方向の長さが幅方向の長さよりも大きくなるように電熱線９０が配線されている。この構成によれば、各往復部分９１の接続部分ＵＣが背中に引きずられにくくなるため、電熱線９０の位置が規定の位置からずれることが抑制される。
【００７６】
図３を参照して、足支持部４０の動作について説明する。
足Ｆのマッサージは次の順序で行なわれる。
（手順Ａ）足Ｆが足裏支持部５０に載せられる。
（手順Ｂ）エアバッグ５２による施術突起５１の移動が開始される。
（手順Ｃ）電熱線７０による足裏への温感の付与が開始される。
（手順Ｄ）電熱線７０による温感の付与が停止される。
（手順Ｅ）エアバッグ５２による施術突起５１の移動が停止される。
【００７７】
上記（手順Ｂ）においては、エアバッグ５２の膨張および収縮にともない施術突起５１の突出量が変化することにより、突出量の変化に応じた刺激が足裏に付与される。すなわち、施術突起５１の突出量が増大するときには足裏に付与される刺激が大きくなる。一方、施術突起５１の突出量が減少するときには足裏に付与される刺激が小さくなる。
【００７８】
（実施形態の効果）
本実施形態のマッサージ機１によれば、以下の効果が得られる。
（１）オットマン２０においては、各往復部分７０Ａ〜７０Ｈの足奥行方向の長さが幅方向の長さよりも大きくなるように電熱線７０が配線されている。この構成によれば、各往復部分７０Ａ〜７０Ｈの足奥行方向の長さが幅方向の長さよりも小さい構成と比較して、往復部分においてＵ字形状の接続部分ＵＣ（図６（ｂ））が足にひきずられにくい。このため、電熱線７０の位置が規定の位置からずれることを抑制することができる。
【００７９】
（２）オットマン２０においては、足支持部４０に施術突起５１が設けられている。この構成によれば、施術突起５１により足裏の中間部分が持ち上げられるため、足の指先が足裏支持部５０に押し付けられる度合いが大きくなる。このため、足が足裏支持部５０上において動かされたときに足指に電熱線７０が引っ掛かりやすくなる。
【００８０】
一方、オットマン２０においては上記（１）に記載のように各往復部分７０Ａ〜７０Ｈが形成されているため、足指への電熱線７０の引っ掛かりが生じにくくなる効果が得られる。このため、施術突起５１が設けられていることに起因する電熱線７０の引っ掛かりの生じやすさが緩和される。
【００８１】
（３）オットマン２０においては、第１カバー４４に接触するように電熱線７０が配線されている。この構成によれば、第１カバー４４と電熱線７０との間に樹脂製のカバー等が設けられる構成と比較して、電熱線７０の熱を足裏に効率よく伝えることができる。
【００８２】
（４）オットマン２０においては、第１カバー４４への取り付けおよび第１カバー４４からの取り外しができるように第２カバー４５が構成されている。この構成によれば、オットマン２０の使用にともない汚れやすい部分、すなわち足裏に対応する部分のカバーとしての第２カバー４５を容易に交換することができる。
【００８３】
（５）オットマン２０においては、銀が織り込まれた織物により第１カバー４４が構成されている。この構成によれば、第１カバー４４が消臭作用を有するものとなるため、オットマン２０の使用にともない足支持部４０から汗等の臭いが発生することを抑制することができる。また、第１カバー４４が抗菌作用を有するものとなるため、オットマン２０の使用にともない足支持部４０に雑菌が繁殖することを抑制することができる。また、第１カバー４４が高い熱伝導率を有するものとなるため、電熱線７０から足裏に熱を効率よく伝えることができる。
【００８４】
（６）オットマン２０においては、銀が織り込まれた織物により第２カバー４５が構成されている。この構成によれば、第２カバー４５においても第１カバー４４により得られる効果と同様の効果が得られる。
【００８５】
（７）オットマン２０においては、第２領域６０Ｂに電熱線７０の一部分が配線されている。この構成によれば、踵よりも熱を感じやすい足指およびその付近に温感が付与されるため、足裏に効率よく温感を付与することができる。
【００８６】
（８）オットマン２０においては、第２領域６０Ｂに加えて第５領域６０Ｅに電熱線７０の一部分が配線されている。この構成によれば、足裏の前方の部分に加えて足裏の後方の部分にも温感が付与されるため、足裏の全体に温感が付与されている感覚を使用者に与えることができる。
【００８７】
（９）オットマン２０においては、第１領域６０Ａおよび第２領域６０Ｂに配線された電熱線７０の合計の表面積が第４領域６０Ｄおよび第５領域６０Ｅに配線された電熱線７０の合計の表面積よりも大きい。この構成によれば、踵に付与される温感に比べて足指およびその付近に付与される温感の方が大きくなるため、足裏を効率的に温めることができる。
【００８８】
（１０）座部１１においては、各往復部分８１の座奥行方向の長さが幅方向の長さよりも大きくなるように電熱線８０が配線されている。この構成によれば、各往復部分８１の座奥行方向の長さが幅方向の長さよりも小さい構成と比較して、往復部分においてＵ字形状の接続部分ＵＣ（図６（ｂ））が臀部にひきずられにくくなる。このため、電熱線８０の位置が規定の位置からずれることを抑制することができる。
【００８９】
（１１）背もたれ１２においては、各往復部分９１の背高さ方向の長さが幅方向の長さよりも大きくなるように電熱線９０が配線されている。この構成によれば、各往復部分９１の背高さ方向の長さが幅方向の長さよりも小さい構成と比較して、往復部分においてＵ字形状の接続部分ＵＣ（図６（ｂ））が背中にひきずられにくくなる。このため、電熱線９０の位置が規定の位置からずれることを抑制することができる。
【００９０】
（１２）オットマン２０においては、左方の足裏支持部５０と右方の足裏支持部５０との間に足側壁が設けられていない。この構成によれば、左方の足裏支持部５０と右方の足裏支持部５０との間に足側壁が設けられる構成と比較して、電熱線７０が停止したときに足の温度が下がりやすい。このため、足裏に温感を付与するモードの後に足裏に温感を付与しないモードが行なわれるとき、足裏の状態を後者のモードに適した状態に速やかに近づけることができる。
【００９１】
（１３）オットマン２０においては、施術突起５１を取り囲むように電熱線７０が配線されている。この構成によれば、施術突起５１により温感が付与されている感覚を使用者に与えることができる。
【００９２】
（その他の実施形態）
本発明の実施態様は、上記実施形態の内容に限定されるものではなく、例えば以下のように変更することができる。また、以下の変形例は上記実施形態についてのみ適用されるものではなく、異なる変形例同士を互いに組み合わせて実施することもできる。
【００９３】
・上記実施形態では、１本の電熱線により電熱線７０を構成しているが、電熱線７０の構成を以下のように変更することもできる。
（Ａ）図９に示されるように、電熱線７０に代えて電熱線１００を設けることもできる。この電熱線１００には、取付台６０の前方の部分に配線される第１電熱線１０１と、取付台６０の後方の部分に配線される第２電熱線１０２とが設けられる。
【００９４】
第１電熱線１０１は、第１領域６０Ａ、第２領域６０Ｂ、および第３領域６０Ｃにわたり配線される。また、その配線態様としては、電熱線７０の第１部分７１〜第３部分７３の配線態様に準じたものが採用される。
【００９５】
第２電熱線１０２は、第３領域６０Ｃ、第４領域６０Ｄ、および第５領域６０Ｅにわたり配線される。また、その配線態様としては、電熱線７０の第４部分７４および第５部分７５の配線態様に準じたものが採用される。
【００９６】
（Ｂ）電熱線７０に代えて、各取付台６０に配線される部分が３本の電熱線により構成される電熱線を設けることもできる。この電熱線の構成としては、例えば図５に示される電熱線７０において、第１部分７１および第２部分７２を１本の電熱線により構成し、第３部分７３を１本の電熱線により構成し、第４部分７４および第５部分７５を１本の電熱線により構成したものが挙げられる。
【００９７】
・上記（Ａ）の変形例において、電熱線の制御として以下の（制御１）〜（制御４）をマッサージ機１の制御装置に予めプログラムすることもできる。この場合には、各制御の実行および停止を選択するための操作部と、各制御のうちの実行するものを選択するための操作部とがマッサージ機１のコントローラに設けられる。
（制御１）第１電熱線１０１の発熱量が第２電熱線１０２の発熱量よりも大きくなるように各電熱線の供給電力を制御する。
（制御２）第１電熱線１０１の発熱量が第２電熱線１０２の発熱量よりも小さくなるように各電熱線の供給電力を制御する。
（制御３）第１電熱線１０１の発熱量が第２電熱線１０２の発熱量に等しくなるように各電熱線の供給電力を制御する。
（制御４）上記（制御１）〜（制御３）の少なくとも２つを選択し、予めプログラムされた順序に基づいて選択した制御を順に行なう。
【００９８】
・上記実施形態では、１つの足裏支持部５０に１つの施術突起５１を設けているが、１つの足裏支持部５０に複数の施術突起５１を設けることもできる。図１０を参照して、複数の施術突起５１が設けられる構成の一例について説明する。
【００９９】
図１０に示されるように、各足裏支持部５０には、複数の施術突起５１としての第１施術突起５１Ａおよび第２施術突起５１Ｂと、電熱線７０に代わる電熱線１１０とが設けられる。第１施術突起５１Ａは、取付台６０の前方の部分に設けられる。第２施術突起５１Ｂは、取付台６０の後方の部分に設けられる。なお、図１０の変形例において電熱線１１０に代えて電熱線７０を設けることもできる。
【０１００】
取付台６０には、第１施術突起５１Ａおよび第２施術突起５１Ｂをそれぞれ挿入するための２つの突起孔６７が形成される。取付台６０の内部には、第１施術突起５１Ａを足高さ方向に移動させるための第１エアバッグ５２Ａと、第２施術突起５１Ｂを足高さ方向に移動させるための第２エアバッグ５２Ｂとが設けられる。
【０１０１】
電熱線９０には、取付台６０の前方の部分に配線される第１電熱線１１１と、取付台６０の後方の部分に配線される第２電熱線１１２とが設けられる。すなわち、電熱線１１０は２本の電熱線により構成される。
【０１０２】
取付台６０は、奥行方向において前方から後方に向けて６つの領域、すなわち第１１領域６０Ｆ、第１２領域６０Ｇ、第１３領域６０Ｈ、第１４領域６０Ｉ、第１５領域６０Ｊ、および第１６領域６０Ｋに区分される。なお、第１２領域６０Ｇは「足前方領域」に相当し、第１６領域６０Ｋは「足後方領域」に相当する。
（ａ）第１１領域６０Ｆは、台前方端部６０Ｘから足指の付け根に対応する部分までの領域を示す。
（ｂ）第１２領域６０Ｇは、足指の付け根に対応する部分から第１施術突起５１Ａの前方の縁に対応する部分までの領域を示す。
（ｃ）第１３領域６０Ｈは、第１施術突起５１Ａの前方の縁から第１施術突起５１Ａの後方の縁までの領域を示す。
（ｄ）第１４領域６０Ｉは、第１施術突起５１Ａの後方の縁から第２施術突起５１Ｂの前方の縁までの領域を示す。
（ｅ）第１５領域６０Ｊは、第２施術突起５１Ｂの前方の縁から第２施術突起５１Ｂの後方の縁までの領域を示す。
（ｆ）第１６領域６０Ｋは、第２施術突起５１Ｂの後方の縁から台後方端部６０Ｙまでの領域を示す。
【０１０３】
第１電熱線１１１は、第１１領域６０Ｆ、第１２領域６０Ｇ、第１３領域６０Ｈ、および第１４領域６０Ｉの前方の部分にわたり配線される。また、図６の電熱線７０の第１部分７１、第２部分７２、および第３部分７３の配線態様に準じて第１施術突起５１Ａを取り囲むように配線される。
【０１０４】
第２電熱線１１２は、第１４領域６０Ｉの後方の部分、第１５領域６０Ｊ、および第１６領域６０Ｋにわたり配線される。また、図６の電熱線７０の第３部分７３、第４部分７４、および第５部分７５の配線態様に準じて第２施術突起５１Ｂを取り囲むように配線される。
【０１０５】
・上記実施形態において、電熱線７０の第１往復部分７０Ａ〜第６往復部分７０Ｆのいずれか一方を省略することもできる。
・上記実施形態において、電熱線７０の第７往復部分７０Ｇおよび第８往復部分７０Ｈの少なくとも一方を省略することもできる。
【０１０６】
・上記実施形態において、電熱線７０の第３部分７３〜第５部分７５の少なくとも一部分を省略することもできる。図１１を参照して、第３部分７３〜第５部分７５の全部が省略された構成の一例について説明する。
【０１０７】
図１１に示されるように、電熱線１２０においては、複数の往復部分１２１が形成される。各往復部分１２１は、図６（ｂ）に示される往復部分のモデルＵに準じた形状の部分としてそれぞれ電熱線１２０に形成される。また電熱線１２０においては、幅方向において互いに隣り合う一方の往復部分１２１および他方の往復部分１２１について、それぞれの対向部分が互いに重複する。
【０１０８】
ここでは、往復部分のモデルＵおよび各往復部分１２１として、直線形状の対向部分ＵＡおよび対向部分ＵＢが互いに平行する形状のものを示しているが、上記実施形態の（条件Ａ）〜（条件Ｃ）の少なくとも１つを満たすものについても電熱線１２０の往復部分に含まれるものとする。
【０１０９】
電熱線１２０においては、往復部分１２１の座奥行方向の長さを「長さＸ４０」とし、往復部分１２１の幅方向の長さを「長さＹ４０」としたとき、長さＸ４０が長さＹ４０よりも大きくなるように各往復部分１２１が形成される。
【０１１０】
・上記実施形態において、肘掛１３の構成を以下のように変更することもできる。
図１２（ａ）に示されるように、肘掛１３の腕施術部１３０には、腕を施術するエアバッグ１３１と、腕に温感を付与する電熱線１４０とが設けられる。図１２（ｂ）に示されるように、電熱線１４０には複数の往復部分１４１が形成される。
【０１１１】
各往復部分１４１は、図６（ｂ）に示される往復部分のモデルＵに準じた形状の部分としてそれぞれ電熱線１４０に形成される。また電熱線１４０においては、幅方向において互いに隣り合う一方の往復部分１４１および他方の往復部分１４１について、それぞれの対向部分が互いに重複する。
【０１１２】
ここでは、往復部分のモデルＵおよび各往復部分１４１として、直線形状の対向部分ＵＡおよび対向部分ＵＢが互いに平行する形状のものを示しているが、上記実施形態の（条件Ａ）〜（条件Ｃ）の少なくとも１つを満たすものについても電熱線１４０の往復部分に含まれるものとする。
【０１１３】
電熱線１４０においては、往復部分１４１の座奥行方向の長さを「長さＸ５０」とし、往復部分１４１の幅方向の長さを「長さＹ５０」としたとき、長さＸ５０が長さＹ５０よりも大きくなるように各往復部分１４１が形成されている。
【０１１４】
・上記実施形態において、オットマン２０から施術突起５１を省略することもできる。
・上記実施形態において、オットマン２０から脚支持部３０を省略することもできる。
・上記実施形態において、第２カバー４５の構成を次のように変更することもできる。すなわち、図１３（ａ）に示されるように、第２カバー４５の前方の端部に足の甲を覆うための甲カバー４６を設けることもできる。この甲カバー４６の幅は、第２カバー４５において足裏に対応する部分の幅よりも大きく設定される。
【０１１５】
図１３（ｂ）に示されるように、この第２カバー４５においては、甲カバー４６を折り返すことにより足の甲を覆うことができる。これにより使用者の足に対してより効率的に温感を付与することができる。
【０１１６】
・上記実施形態において、銀に代えてアルミ二ウム等の他の金属粉が織り込まれた織物により第１カバー４４および第２カバー４５の少なくとも一方を構成することもできる。
・上記実施形態において、金属粉が織り込まれていない織物により第１カバー４４および第２カバー４５の少なくとも一方を構成することもできる。
【０１１７】
・上記実施形態において、第２カバー４５を省略することもできる。この場合、第１カバー４４から第１面ファスナ４４Ａが省略される。
・上記実施形態において、第１カバー４４と電熱線７０との間に電熱線７０を覆う別のカバーを設けることもできる。
【０１１８】
・上記実施形態において、オットマン２０の電熱線７０、座部１１の電熱線８０、および背もたれ１２の電熱線９０のうちの１つまたは２つを省略することもできる。
・上記図１２の変形例、すなわち肘掛１３に電熱線１４０が設けられる変形例において、オットマン２０の電熱線７０、座部１１の電熱線８０、背もたれ１２の電熱線９０、および肘掛１３の電熱線１４０のうちの１つ、または２つ、または３つを省略することもできる。
【０１１９】
・上記実施形態において、マッサージ機１の一部としてオットマン２０が設けられているが、マッサージ機１から独立したオットマン２０とすることもできる。
【符号の説明】
【０１２０】
１…椅子型マッサージ機、１１…座部、１２…背もたれ、１３…肘掛、２０…オットマン、４０…足支持部、４４…第１カバー（第１織物）、４５…第２カバー（第２織物）、５１…施術突起、５１Ａ…第１施術突起（施術突起）、５１Ｂ…第２施術突起（施術突起）、６０Ｂ…第２領域（足前方領域）、６０Ｅ…第５領域（足後方領域）、６０Ｇ…第１２領域（足前方領域）、６０Ｋ…第１６領域（足後方領域）、７０…電熱線、７０Ａ…第１往復部分、７０Ｂ…第２往復部分、７０Ｃ…第３往復部分、７０Ｄ…第４往復部分、７０Ｅ…第５往復部分、７０Ｆ…第６往復部分、７０Ｇ…第７往復部分、７０Ｈ…第８往復部分、７２…第２部分（部分Ａ）、７５…第５部分（部分Ｂ）、８０…電熱線、８１…往復部分、９０…電熱線、９１…往復部分、１００…電熱線、１０１…第１電熱線、１０２…第２電熱線、１１０…電熱線、１１１…第１電熱線、１１２…第２電熱線、１２０…電熱線、１２１…往復部分、１４０…電熱線、１４１…往復部分。
【図１】
0005314064.tif 000002
【図２】
0005314064.tif 000003
【図３】
0005314064.tif 000004
【図４】
0005314064.tif 000005
【図５】
0005314064.tif 000006
【図６】
0005314064.tif 000007
【図７】
0005314064.tif 000008
【図８】
0005314064.tif 000009
【図９】
0005314064.tif 000010
【図１０】
0005314064.tif 000011
【図１１】
0005314064.tif 000012
【図１２】
0005314064.tif 000013
【図１３】
0005314064.tif 000014